(57)【要約】      （修正有）【課題】現状のコンクリ−ト製境界杭の境界点を測量するのに、一人でもできるのは、十文字状だけである。測量は二人を常識としてきたが、オフセット間距離を正確に読み難い場所に埋設している杭の境界点も、正確に、しかも、一人で測量できる補助具が必要とされている。【解決手段】面取のあるコンクリ−ト杭の境界点には、杭にＬ型に当てがう、断面Ｖ型の透明の境界点測量補助具を用いる。地面と面一な杭や、埋まっている杭や、工作物に突き当てている杭に対しては、透明のプレイト状の境界点測量補助具を、被せて対処する。【選択図】図１
2008309765.tif 000002
【特許請求の範囲】
【請求項１】
コンクリ−ト製境界杭等の境界点、又は、その近傍に、プリザムを設置し易くして測定を補助する道具一式で、境界点測量補助具３種の神器と呼称する。是等があれば、大抵の境界点の正確な測定が、是迄に無く、し易くなった。その為の補助具を考案したので、それら一式の仕様と、その使用法を披露する。一つ目は、杭等の角部と、杭等の縁中央部に境界点があり、更に、この縁に面取のある杭用で、この面取部の真下に、この補助具を当ててＶの谷間を形成し、この谷間に、Ｖ形の二つ目の考案品を載せて、プリザムを設置し易くするもので、是等二つは、境界杭にＬ字状に接触するような形状としてある。三つ目は、杭の縁の面取の有無に拘らず、杭等の上面の平らな部分に、透明のプレイトを当て、このプレイト越しに測点を視認し、適切な箇所にプリザムを設置して測定できるようにしたものである。こうした補助具と測定方法で、是迄に無く、正確に境界点を測定し易くしたことを特長とする、コンクリ−ト製境界杭等の境界点測定補助具一式と、その使用法。
【発明の詳細な説明】
【技術分野】
【０００１】  この発明は、コンクリ−ト製境界杭等の境界点にプリザムを設置し易くする事や、塀の隅の境界点と、オフセット点間距離の物差しの目盛が、読取り不可能だったのを、可能にする事により、境界点測量作業を、省力化すると共に、合理的に行なえるようにする補助具一式と、それらの使用法に関するものである。
【背景技術】
【０００２】  従来は、杭等の境界点にポウルの先端を設置する際、角部に境界点がある場合は、指先を添えて、設置するしか無く、しかも、この角部が欠落しているような場合は、近傍の点を測定して、パソコンで位置を計算して決めるしか方法が無かった。自治体が使用する杭は、境界点は平らで面取は無いが、矢印の先端の境界点は丸まっている事が多くて、ポウルの先端を設置し辛いので、矢張り指先を添える必要がある。その他、境界点が直角状の塀等の工作物の隅を指している場合などは、境界点からポウル先端のオフセット点迄の距離を測定するのが困難で、多少の測定誤差が生じる原因となっていた。
【発明の開示】
【発明が解決しようとする課題】
【０００３】イ．光波測量のプリザムのポウルを設置し易いのは、十文字の境界点だけであり、杭上面の角や、縁中央部に境界点がある場合、ポウルの先端に指を添えねばならない。添え方が悪いと、位置がずれたりするし、一人で測量できるように、手放しで、境界点にポウルを設置できる補助具を考案するのが、本考案の狙いである。殊に、角部に境界点があって欠落している場合は、この補助具で位置を簡単に復元できるので、この復元した点にポウルを置けるようにしなければならない。塀等の工作物の隅に境界点がある場合等は、その点を正確に捉え、尚且、ポウル先端のオフセット点迄の距離を、正確に表示できるようにしておく必要がある。
ロ．自治体が使用する杭の上面は、鋳鉄の場合が多いが、角部や、縁中央部に矢印を設けていて、しかも、この矢の先端が丸みを帯びているので、ポウルの先端を設置し難い場合が多い。と、言う事は、境界点を特定し辛いと言う事になるので、上面に透明のプレイト状の補助具を当てがって、位置を特定しながら、埋設したり、設置済みの点の位置を特定し易くする補助具の考案が必要である。もっとも、民間仕様の杭の上面縁に面取のある杭が、地面からの突き出し代が無かったり、地中に埋まっている場合は、Ｖ形の補助具が使える迄掘り下げるか、プレイト状の補助具を当てがうと解決する。
【課題を解決する為の手段】
【０００４】  本発明による、３種の神器の内、１種と２種は、対にして使う補助具であり、３種目は、杭等の上面に透明のプレイト状の補助具を載せ、位置を特定し易いようにしたものである。１種目をＶ形の溝を形成するものとすると、是は、透明の必要無いが、２種目の透明のＶ形溝の折れ曲がり点に、一つめの孔、二つ目の孔は、４．５センチの杭の場合、折れ曲がり点から２．２５センチの位置に、三つ目の孔は、９センチの杭の場合、折れ曲がり点から４．５センチの位置に、四つ目の孔は、１０センチの杭の場合、折れ曲がり点から５センチの位置に、五つ目の孔は、１２センチの杭の場合、折れ曲がり点から６センチの位置に、ポウルの先端を置けるようにしておけばよい。３種目の透明のプレイト状の補助具には、境界点が塀等の工作物に突き当てに位置している状態でも、ポウルの先端を１センチ間隔でオフセットできるように、波状に溝を彫って置く。杭等の角部に境界点があり、その点の両側に工作物が直角に折れ曲がっている場合は、この点にもプレイトを当てがえるようにしておき、先程通り、波状の溝を彫って、ポウルの先端をオフセットできるようにしておけば、こうした境界点も、難無く、しかも正確に測定できる。更に、この角部と反対側にある曲線状の縁を当てがっても、オフセット測定できるようにするには、プレイト角部先端に突起を設け、是に赤線を施して、境界点とポウルの先端と赤線を一直線にして測定できるようにもしてある。
【発明の効果】
【０００５】  本発明により、殆どの境界点、又は、その近傍を測量し易くなり、しかも、一人でも測量できるようになったので、更なる測量作業の省力化と、測量精度の向上を実現し得た。
【発明を実施するための最良の形態】
【０００６】  以下、本発明の最良の実施形態を説明する。
イ．１種目のＶ形の溝を形成する補助具は、鮮やかな目立つ色彩の樹脂製が最適で、Ｌ字状に杭に固定するので、紐で杭に縛りつける方法等ができるようにしておく必要がある。
ロ．２種目のＶ形の溝に載せる道具は、透明の樹脂製で、Ｖ形溝に全面接触できるようにし、更に是を通して各境界点を視認できるようにし、適切な位置に孔をあけておく。
ハ．３種目のプレイトは、透明の樹脂製で、１種と２種を対にして使用できない杭の場合も含めて、境界点を押さえられるようにしておく必要がある。具体的には、塀等に突き当て式に境界点がある場合に対応するには、プレイトの縁や先端の塀に突き当てる部分に、境界点に合わせる点を設けておき、この点を中心にして、１センチ間隔でポウルの先端をオフセットできるように、波状に溝を彫っておく。
【産業上の利用可能性】
【０００７】  測量技術の面でも、カンピュ−タの普及と共に、省力化と、測量精度の向上をもたらした。殊に、巻尺しか無かった時代は、二人での作業が常識であったが、光波測距儀の普及で、一人ででも作業が可能になった。こうした時代にあっても、本件発明に因る、境界点測量補助具は、無ければ無いなりに、不便と思いつつ、今日に至ったのが、測量業界の趨勢であったといえる。この不便さと、多少の精度の劣るのを問題視せずに済ませてきたのが、本件発明で解消でき、精度の向上と、作業の軽減と、省力化に寄与する効果は絶大である。
【図面の簡単な説明】
【０００８】
【図１】  面取ある杭に、１種目と２種目の補助具を対にして装着した側面図。
【図２】  面取ある杭に、１種目と２種目の補助具を対にして装着した平面図。
【図３】  塀等の隅にある境界点に、３種目のプレイトを設置した平面図。
【符号の説明】
【０００９】  （１）面取のあるコンクリ−ト杭。
（２）１種目の補助具。
（３）２種目の補助具。
（４）紐等で１種目の補助具を縛り付ける。
（５）杭の大きさに合わせた各種境界点で、プリザムの先端を置く孔。
（６）３種目の補助具のプレイト。
（７）境界点を示す杭の矢印先端と、プレイト先端角部突起に施した赤線。
（８）プレイトの角部先端と反対側の曲線状の縁。
（９）オフセット用の１センチ間隔の溝。
（１０）塀等の工作物。
（１１）塀等の工作物が直角状に折れ曲がっている隅の境界点指示杭。
（１２）ポウルをオフセットする前に、境界点の位置を特定する切り欠き孔。
【図１】
2008309765.tif 000003
【図２】
2008309765.tif 000004
【図３】
2008309765.tif 000005
【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
コンクリート製境界杭等の境界点、又は、その近傍に、プリザムを設置し易くして測定を補助する道具一式で、境界点測量補助具３種の神器と呼称する。是等で、大抵の境界点の正確な測定が、是迄に無く、し易くなった。その為の補助具を発明したので、それら一式の仕様と、その使用法を披露する。一種目は、杭の角部と、杭の縁中央部に境界点があり、更に、この縁に面取のある杭用で、この面取部の真下に、この補助具を当ててＶの谷間を形成し、この谷間に、Ｖ形の二種目の発明品を載せて、プリザムを設置し易くするもので、是等二つは、境界杭にＬ字状に接触するようにしてある。三種目は、杭上部の縁の面取の有無に拘らず、杭等の上面の平らな部分に、透明のプレイトを当て、このプレイト越しに視認して直接測点にプリザムを設置したり、適切な箇所にオフセット点を設定する場合には、当該プレイトには、工作物に対する境界点の設置状況に応じて、３面の対応で使い分ける配慮がしてある。１面目は、直線状の工作物に突き当て、又は、ほぼ突き当ての位置に、境界点が在る場合用で、プレイト直線部の中央に切り欠き孔を設けてある。２面目は、工作物が直角状になっている、その隅や、近傍に境界点が在る場合用で、円弧の一部を切り欠いた弦を一辺とする直角部突起を当てがえるようにしてある。３面目は、曲線状の縁に、切り欠き孔を数箇所設けて、任意の測点に当てがえるようにしてある。いずれも、波状に彫った溝に沿ってプリザムを移動させて測定できるようにしてある。尤も、二種目のＶ形の溝と、三種目のプレイトとの折衷型として、Ｖ形の溝の横に、杭上面に置く平板をくっつけ、是で、Ｖ形の溝を支える合理的な方法も考えられる。こうした補助具と測定方法で、是迄に無く、正確に境界点を測定し易くしたことを特長とする、コンクリート製境界杭等の境界点測定補助具一式と、その使用法。
【手続補正２】
【補正対象書類名】明細書
【補正対象項目名】０００３
【補正方法】変更
【補正の内容】
【０００３】イ．光波測量のプリザムのポウルを設置し易いのは、十文字の境界点だけであり、杭上面の角や、縁中央部に境界点がある場合、ポウルの先端に指を添えねばならない。添え方が悪いと、位置がずれたりするし、一人で測量できるように、手放しで、境界点にポウルを設置できる補助具を発明するのが、本発明の狙いである。殊に、角部に境界点があって欠落している場合は、この補助具で位置を簡単に復元できるので、この復元した点にポウルを置けるようにしなければならない。塀等の工作物の隅に境界点がある場合等は、その点を正確に捉え、尚且、ポウル先端のオフセット点迄の距離を、正確に表示できるようにしておく必要がある。
ロ．自治体が使用する杭の上部は、鋳鉄の場合が多いが、角部や、縁中央部に矢印を設けていて、しかも、この矢の先端が丸みを帯びているので、ポウルの先端を設置し難い場合が多い。と、言う事は、境界点を特定し辛いと言う事になるので、上面に透明のプレイト状の補助具を当てがって、位置を特定しながら、埋設したり、設置済みの点の位置を特定し易くする補助具の発明が必要である。もっとも、民間仕様の杭の上部縁に面取のある杭が、地面からの突き出し代が無かったり、地中に埋まっている場合は、Ｖ形の補助具が使える迄掘り下げるか、プレイト状の補助具を当てがうと解決する。
【手続補正３】
【補正対象書類名】明細書
【補正対象項目名】０００４
【補正方法】変更
【補正の内容】
【０００４】  本発明による、３種の神器の内、１種と２種は、対にして使う補助具であり、３種目は、杭等の上面に透明のプレイト状の補助具を載せ、位置を特定し易いようにしたものである。１種目をＶ形の溝を形成するものとすると、是は、透明の必要無いが、２種目の透明のＶ形溝の折れ曲がり点に、一つめの孔、二つ目の孔は、４．５センチの杭の場合、折れ曲がり点から２．２５センチの位置に、三つ目の孔は、９センチの杭の場合、折れ曲がり点から４．５センチの位置に、四つ目の孔は、１０センチの杭の場合、折れ曲がり点から５センチの位置に、五つ目の孔は、１２センチの杭の場合、折れ曲がり点から６センチの位置に、ポウルの先端を置けるようにしておけばよい。３種目の透明のプレイト状の補助具には、境界点が塀等の工作物に突き当てに位置している状態でも、ポウルの先端を１センチ間隔でオフセットできるように、波状に溝を彫って置く。杭等の角部に境界点があり、その点の両側に工作物が直角に折れ曲がっている場合は、この点にもプレイトを当てがえるようにしておき、先程通り、波状の溝を彫って、ポウルの先端をオフセットできるようにしておけば、こうした境界点も、難無く、しかも正確に測定できる。是と反対の曲線状の縁を当てがっても、オフセットして測定できるようにするには、プレイト角部先端に突起を設け、是に赤線を施して、境界点とポウルの先端と赤線を一直線にして測定できるようにもしてある。
【手続補正４】
【補正対象書類名】明細書
【補正対象項目名】０００６
【補正方法】変更
【補正の内容】
【０００６】  以下、本発明の最良の実施形態を説明する。
イ．１種目のＶ形の溝を形成する補助具は、鮮やかな目立つ色彩の樹脂製が最適で、Ｌ字状に杭に当てがうので、紐等で杭に縛りつけられるような方法等にしておく必要がある。
ロ．２種目のＶ形の溝に載せる道具は、透明の樹脂製で、Ｖ形溝に接触できるようにし、是を通して、各境界点を視認できるようにし、適切な位置に孔をあけておく。
ハ．３種目のプレイトは、透明の樹脂製で、１種と２種を対にして使用できない杭等の場合も含めて、境界点を押さえられるようにしておく必要がある。具体的には、塀等に突き当て式に境界点がある場合に対応するには、プレイトの縁や先端の塀に突き当てる部分に、境界点に合わせる点を設けておき、この点を中心にして、１センチ間隔でポウルの先端をオフセットできるように、波状の溝を彫っておく。
【手続補正５】
【補正対象書類名】明細書
【補正対象項目名】０００９
【補正方法】変更
【補正の内容】
【０００９】（１）面取のあるコンクリート杭。
（２）１種目の補助具。
（３）２種目の補助具。
（４）紐等で、１種目の補助具を縛り付ける。
（５）杭の大きさに合わせた各種境界点で、プリザムの先端を置く孔。
（６）３種目の補助具のプレイト
（７）境界点を示す杭の矢印先端と、プレイト先端直角部突起に施した赤線。
（８）プレイトの直角部突起の反対側の曲線状の縁。
（９）オフセット用の１センチ間隔の溝。
（１０）塀等の工作物
（１１）塀等の工作物が、直角状に折れ曲がっている隅の境界点指示杭。
（１２）ポウルをオフセットする際に、境界点の位置を特定する切り欠き孔。
【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
土地測量用コンクリート製境界杭上端に面取のある杭の面取の下方の角と、面取の下方の一辺中央部に境界点のある、それぞれ個別の杭において、この面取部の外側下部に補助具を当ててＶの谷間を形成し、この谷間にＶ形の別の補助具を載せて、光波測距儀のプリザム（俗に言うプリズムの、英語公用の外人が語る言葉で、以下当該出願書の文面を構成する、尚、後述のコンピュータやゴムについては、是に倣うと、カンピュータやガムとなるので、念の為、ここで断わっておく、但し、センチについては例外とする）を設置し易くするもので、是ら二つの補助具は、各々、境界杭上端でＬ字状に接触するようにしてあり、杭に巻き付けて谷間を形成する方の補助具甲と、この谷間に載せる方の補助具乙の２種類を対にし、精度良い測量をし易くする為に発明した補助具甲と乙。
【請求項２】
杭上端の面取の有無に拘らず、杭等（アルミや真鋳のプレイト状境界標も包含するので、等と表現する）の上面の平らな部分に、当該透明のプレイトを当て、このプレイト越しに境界点を視認して、プレイトの上から境界点にプリザムを設置したり、プリザムが工作物等（物体が邪魔をして、境界点に直接プリザムを置けない場合の邪魔な物体一切合切を包含するので、等と表現する）にぶつかって境界点に直接プリザムを設置できない場合は、適切な箇所にオフセット点を設定するので、このプレイトには、工作物等に対する境界点の設置状況に応じて、３面の対応で使い分ける配慮がしてあり、その内の１面目は、直線状の工作物に突き当て、又は、ほぼ突き当ての位置に境界点が在る場合用で、プレイト直線部の中程にある半円状切り欠きの中心を境界点に合わせられるように設けてあり、２面目は、ほぼ直角状に施工している工作物の隅や、その隅の近傍に境界点が在る場合用で、円弧の一部を切り欠いた弦を一辺とする直角部突起先端を境界点に当てられるようにしてあり、３面目は、曲線状の縁に、半円状切り欠きを数箇所設けて、その内の任意の切り欠き一個を測点に合わせてプリザムをオフセットできるようにした丙の補助具において、上記１面目と、上記２面目の各々の境界点に当てる点を中心にして、一センチ間隔の波状の同心円の溝を彫ってあり、この溝に沿ってプリザムを移動させて、適切な視準線上にプリザムを置き易いようにし、精度良い測量をし易くする為に発明した補助具丙。
【請求項３】
請求項１で言う、甲の両端に紐やガムバンドを付けて、杭の上端面取部下部外側に鉢巻状に巻付けてできる谷間に乙を載せて甲乙対にして測量する方法と、請求項２で言う丙のプレイト越しに境界点、あるいは、オフセット点を捉えて測量する、併せて２種類の方法により、作業の合理化と、測量精度の向上と、作業による心身の疲労度の軽減を実現し得た測量方法の発明。
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
土地測量用コンクリート製境界杭上端に面取のある杭の面取の下方の角と、面取の下方の一辺中央部に境界点のある、それぞれ個別の杭において、この面取部の外側下部に補助具を当ててＶの谷間を形成し、この谷間に断面Ｖ形の別の補助具を載せて、光波測距儀のプリズムのポウルを設置し易くするもので、是ら二つの補助具は、各々、境界杭上端でＬ字状に接触するようにしてあり、杭に紐で巻き付けて谷間を形成する方の補助具甲と、この谷間に載せる方の補助具乙の２種類を対にし、精度良い測量と、作業性を良くする為に発明した補助具甲と乙。但し、補助具乙には、境界点の位置に対応した箇所にポウルの先端を置く孔を設けておく。
【請求項２】
杭上端の面取の有無に拘らず、杭や、アルミや真鋳のプレイトの上面の平らな部分に、当該透明のプレイトを当て、このプレイト越しに境界点を視認して、プレイトの上から境界点にプリズムを設置したり、プリズムが工作物にぶつかって境界点に直接プリズムを設置できない場合は、適切な箇所にオフセット点を設定するので、このプレイトには、工作物に対する境界点の設置状況に応じて、３種の対応で使い分ける配慮がしてあり、その内の１種目は、直線状の工作物に突き当て、又は、ほぼ突き当ての位置に境界点が在る場合用で、プレイト直線部の中程にある半円状切り欠きの中心を境界点に合わせられるように設けてあり、２種目は、ほぼ直角状に施工している工作物の隅や、その隅の近傍に境界点が在る場合用で、円弧の一部を切り欠いた弦を一辺とする直角部突起先端を境界点に当てられるようにしてあり、３種目は、曲線状の縁に、半円状切り欠きを数箇所設けて、その内の任意の切り欠き一個を測点に合わせてプリズムをオフセットできるようにした丙の補助具において、上記１種目と、上記２種目の各々の境界点に当てる点を中心にして、一センチ間隔の波状の同心円の溝を彫ってあり、この溝に沿ってプリズムを移動させて、適切な視準線上にプリズムを置き易いようにし、精度良い測量をし易くする為に発明した補助具丙。
【請求項３】
請求項１で言う、甲の両端に紐を付けて、杭の上端面取部下部外側に鉢巻状に巻付けてできる谷間に乙を載せて、甲乙対にして測量する方法。
【請求項４】
請求項２で言う、丙のプレイト越しに、境界点、あるいは、オフセット点を捉えて測量する方法。
【手続補正２】
【補正対象書類名】明細書
【補正対象項目名】０００１
【補正方法】変更
【補正の内容】
【０００１】  この発明は、面取りあるコンクリート製境界杭の角や、縁の境界点に、プリズムを設置し易くする事や、塀の隅の境界点と、オフセット点間距離の物差しの目盛りが、読取り不可能だったのを可能にする為に、目盛りに代わる１センチ間隔の波状溝を、当該発明品に表示させて、境界点測量作業を省力化すると共に、合理的に行なえるようにする補助具一式と、それらの使用法に関するものである。
【手続補正３】
【補正対象書類名】明細書
【補正対象項目名】０００２
【補正方法】変更
【補正の内容】
【０００２】  従来は、杭の境界点にポウルの先端を設置する際、角部に境界点がある場合は、指先を添えて設置するしか無く、しかも、この角部が欠落しているような場合は、近傍の点を測定して、パソコンで位置を計算して決めるしか方法が無かった。自治体が使用する杭は、境界点を示す矢印部分は平らで面取は無いが、矢印先端の境界点付近が丸まっている事が多くて、ポウルの先端を設置し難いので、矢張り指先を添える必要がある。その他、境界点が直角状の塀の隅を指している場合などは、境界点からポウル先端のオフセット点迄の距離を測定するのが困難で、誤差発生の要因となっていた。
【手続補正４】
【補正対象書類名】明細書
【補正対象項目名】０００３
【補正方法】変更
【補正の内容】
【０００３】イ．光波測量のプリズムのポウルを設置し易いのは、十文字の境界点だけであり、杭上面の角や、総中央部に境界点がある場合、ポウルの先端に指を添えねばならない。添え方が悪いと、位置がずれるのでずれ防止したり、手放しでポウルを設置する場合用に必要な道具を発明するのが本発明の狙いである。殊に、角部に境界点があって欠落している場合は、この補助具で位置を簡単に復元できるので、この復元した点にポウルを置けるようにしなければならない。塀の隅に境界点があるような場合は、その点を正確に捉え、尚且、ポウル先端のオフセット点迄の距離を、正確に表示できるようにしておく必要がある。
ロ．自治体の杭の上部は、鋳鉄製が多く、角部や、縁中央部に矢印を設けていて、しかも、この矢の先端が丸みを帯びているので、ポウルの先端を設置し難い場合が多い。と、言う事は、境界点を特定し難いと言う事になるので、上面に透明のプレイト状の補助具を当てがって、位置を特定しながら、埋設したり、設置済みの点の位置を特定し易くする補助具の発明が必要である。
【手続補正５】
【補正対象書類名】明細書
【補正対象項目名】０００４
【補正方法】変更
【補正の内容】
【０００４】本発明による３種類の補助具の呼称は、特許請求の範囲で説明した順に甲乙丙とする。甲と乙は、対にして使い、丙は、杭の上面に透明のプレイト状の補助具を載せ、位置を特定し易いようにしたものである。甲を、Ｖ形の溝を形成するものとすると、是は、透明の必要ないが、乙は、甲と、コンクリート杭とで形成したＶ形の溝の上に載せ、乙を通して境界点を視認できるように透明にしておく必要がある。Ｖ形溝の折れ曲がり点に一つ目の孔、二つ目の孔は、４．５センチの杭の場合で、折れ曲がり点から２．２５センチの位置に、三つ目の孔は、９センチの杭の場合で、折れ曲がり点から４．５センチの位置に、四つ目の孔は、１０センチの杭の場合で、折れ曲がり点から５センチの位置に、五つ目の孔は、１２センチの杭の場合で、折れ曲がり点から６センチの位置に、プリズムのポウルの先端を置けるようにしてある。丙の透明の板には、境界点が塀に突き当ての状態に位置していても、当該ポウルの先端を１センチ間隔でオフセットできるように、波状に溝を彫って置く。杭の角部に境界点があり、この点の両側に塀が直角に折れ曲がっている場合でも、丙を当てがえるようにしておき、先程通り、波状の溝を彫ってポウルの先端を１センチ間隔でオフセットできるようにしておけば、難無く、正確に測定できる。更に、この角部の反対側にある曲線状の縁を当てがっても、オフセット測定できるようにするには、プレイト角部先端に突起を設け、是に赤線を施して、境界点とポウルの先端と赤線を一直線にして測定できるようにもしてある。
【手続補正６】
【補正対象書類名】明細書
【補正対象項目名】０００６
【補正方法】変更
【補正の内容】
【０００６】  以下、本発明の最良の実施形態を説明する。
イ．甲のＶ形の溝を形成する補助具は、鮮やかな目立つ色彩の樹脂製が最適で、Ｌ字状に杭に当てがうので、紐で杭に鉢巻状に縛りつけられるようにしておく必要がある。
ロ．Ｖ形の溝に載せる補助具乙は、透明の樹脂製で、Ｖ形の溝に接触できるようにし、是を通して各境界点を視認できるようにし、各境界点に対応した適切な位置に、プリズムのポウルを置けるように孔をあけておく。
ハ．プレイトの丙も透明の樹脂製で、甲乙を対にして使用できない杭の境界点を捉えられるようにしておく必要がある。具体的には、塀に突き当て式に境界点がある場合には、プレイトの縁や先端の塀に突き当てる部分に、境界点に合わせる点を設けておき、この点を中心にして、１センチ間隔の同心円の波状の溝を彫っておき、プリズムのポウルの先端をオフセットし易いようにしておく。
【手続補正７】
【補正対象書類名】明細書
【補正対象項目名】０００７
【補正方法】変更
【補正の内容】
【０００７】  測量技術の面でも、コンピュータの普及と共に、省力化と、測量精度の向上をもたらした。殊に、巻尺しかなかった時代は、二人での作業が常識であったが、光波測距儀の普及で、一人ででも作業が可能になった。こうした時代にあっても、本件発明に因る、境界点測量補助具は、無ければ無いなりに、不便と思いつつ、今日に至ったのが、測量業界の趨勢であったと言える。この不便さと、多少の精度の劣るのを問題視せずに済ませてきたのが、本件発明で解消でき、精度の向上と、作業の軽減と、省力化に寄与する効果は絶大である。
【手続補正８】
【補正対象書類名】明細書
【補正対象項目名】０００８
【補正方法】変更
【補正の内容】
【０００８】
【図１】  面取ある杭に、甲と乙の補助具を対にして装着した側面図。
【図２】  面取ある杭に、甲と乙の補助具を対にして装着した平面図。
【図３】  塀の隅にある境界点に、丙のプレイトを設置した平面図。
【手続補正９】
【補正対象書類名】明細書
【補正対象項目名】０００９
【補正方法】変更
【補正の内容】
【０００９】  （１）面取のあるコンクリート杭。
（２）甲補助具。
（３）乙補助具。
（４）紐で甲補助具を縛り付ける。
（５）杭の大きさに合わせた各種境界点で、プリズムの先端を置く孔。
（６）丙補助具のプレイト。
（７）境界点を示す杭の矢印先端と、プレイト先端直角部突起に施した赤線。
（８）プレイトの直角部突起の反対側の曲線状の縁。
（９）オフセット用の１センチ間隔の溝。
（１０）塀。
（１１）塀が直角状に折れ曲がっている隅の境界点指示杭。
（１２）プリズムのポウルをオフセットする際に、境界点の位置を特定する切り欠き孔。